(57)【要約】【課題】エンジンマウントブラケット部の剛性向上に関して更に改良されたシリンダヘッドおよびこれを備える内燃機関を提供すること。【解決手段】シリンダヘッド２０に、フランジ部４２と、中空筒状部５０と、を設ける。フランジ部４２には、エンジンマウントブラケット部１８が一体にされたチェーンカバー１２が締結される。中空筒状部５０は、チェーンケース１２が締結される側のみに開口５２を有するように構成され、その一部がフランジ部４２によって構成される。これにより、重量増加を抑制しながらもシリンダヘッド２０のエンジンマウントブラケット部１８が締結される部分における取付剛性を向上することができる。【選択図】図２
2017057720.tif 000002
【特許請求の範囲】
【請求項１】
エンジンマウントブラケット部を有するチェーンカバーが締結されるよう構成されたシリンダヘッドであって、
前記チェーンカバーのうち前記エンジンマウントブラケット部または前記エンジンマウントブラケット部の近傍部分が締結により当接されるよう構成された当接部と、
少なくとも一部が前記当接部によって構成されると共に、前記チェーンカバーが締結される側に開口を備える中空部を有するよう構成された中空筒状部と、
を備えるシリンダヘッド。
【請求項２】
前記当接部は、チェーンカバーのうち前記エンジンマウントブラケット部または前記エンジンマウントブラケット部の近傍部分を締結するためのボルトがネジ係合されるネジ部を備えており、該ネジ部が前記中空筒状部を挟んで両側に配置されるよう構成されている
請求項１に記載のシリンダヘッド。
【請求項３】
前記中空筒状部は、前記チェーンカバーが締結される側のみが開口するよう構成されている請求項１または２に記載のシリンダヘッド。
【請求項４】
前記中空筒状部の外形を構成する外殻の少なくとも一部が曲面により構成されている請求項１ないし３のいずれか１項に記載のシリンダヘッド。
【請求項５】
前記中空部は、前記開口に垂直な方向から見たときの断面積が、前記開口から底部に向かうに伴い漸減するよう構成されている請求項１ないし４のいずれか１項に記載のシリンダヘッド。
【請求項６】
バルブリフタの往復運動をガイドするためのバルブリフタガイドボス部をさらに備え、
前記中空筒状部は、前記バルブリフタガイドボス部に直接的に接続されるよう構成されている請求項１ないし５のいずれか１項に記載のシリンダヘッド。
【請求項７】
外郭を構成する側壁をさらに備え、
前記バルブリフタガイドボス部は、前記側壁に直接的に接続されるよう構成されている請求項６に記載のシリンダヘッド。
【請求項８】
カムシャフトを回転可能に支承するよう構成された支持壁および点火プラグを取り付けるためのプラグボス部をさらに備え、
前記中空筒状部は、前記バルブリフタガイドボス部および前記プラグボス部を介して前記支持壁に接続されるよう構成されている請求項１ないし７のいずれか１項に記載のシリンダヘッド。
【請求項９】
外郭を構成する側壁をさらに備え、
前記支持壁は、前記側壁に直接的に接続されるよう構成されている請求項８に記載のシリンダヘッド。
【請求項１０】
動弁室を構成するアッパーデッキ部をさらに備え、
前記中空筒状部は、前記アッパーデッキ部に直接的に接続されるよう構成されている請求項１ないし９のいずれか１項に記載のシリンダヘッド。
【請求項１１】
吸気マニホールドを締結可能な取付部および該取付部に直接的に接続されたリブをさらに備え、
前記中空筒状部は、前記リブを介して前記取付部に接続されるよう構成されている請求項１ないし１０のいずれか１項に記載のシリンダヘッド。
【請求項１２】
請求項１ないし１１いずれか１項に記載のシリンダヘッドと、
エンジンマウントブラケット部を有し、前記シリンダヘッドに締結されるよう構成されたチェーンカバーと、
を備え、
エンジンマウントを介して前記エンジンマウントブラケット部が車体に締結されることにより車両に搭載されるよう構成されている
内燃機関。
【発明の詳細な説明】
【技術分野】
【０００１】
本発明は、シリンダヘッドおよびこれを備える内燃機関に関する。
【背景技術】
【０００２】
特許第４０１３１８５号公報（特許文献１）には、チェーンケースを締結するために前面壁部に開口するように構成された締結ボス部と、可変バルブタイミング機構を作動させるためのオイル制御弁を設置するために側壁部に開口するように構成された収容部と、吸気マニホールドを締結するために側壁部に設けられたフランジ部と、を備えるシリンダヘッドが記載されている。
【０００３】
当該シリンダヘッドでは、チェーンケースのうち当該チェーンケースに一体にされたエンジンマウントブラケットの周囲を締結するための締結ボス部近傍に収容部を配置すると共に、当該収容部をフランジ部に連結するように構成されており、収容部にオイル制御弁が取り付けられることにより締結ボス部の剛性が向上して、エンジンマウントブラケット全体の剛性を向上することができる。
【０００４】
しかしながら、上述したシリンダヘッドでは、可変バルブタイミング機構を作動させるためのオイル制御弁の配置が制限されてしまい設計自由度が低下してしまう。また、オイル制御弁を有する構成が前提となっており、オイル制御弁を有さない構成におけるエンジンマウントブラケットの剛性向上については何ら言及されていない。このように、シリンダヘッドによるエンジンマウントブラケットの剛性向上については、更なる改良の余地がある。
【先行技術文献】
【特許文献】
【０００５】
【特許文献１】特許第４０１３１８５号公報
【発明の概要】
【発明が解決しようとする課題】
【０００６】
本発明は、上記に鑑みてなされたものであり、エンジンマウントブラケットの剛性向上に関して更に改良されたシリンダヘッドおよびこれを備える内燃機関を提供することを目的とする。
【課題を解決するための手段】
【０００７】
本発明のシリンダヘッドおよびこれを備える内燃機関は、上述の目的を達成するために以下の手段を採った。
【０００８】
本発明に係るシリンダヘッドの好ましい形態によれば、シリンダヘッドは、エンジンマウントブラケット部を有するチェーンカバーが締結されるように構成されている。当該シリンダヘッドは、当接部と、中空筒状部と、を備えている。当接部は、チェーンカバーのうちエンジンマウントブラケット部またはエンジンマウントブラケット部の近傍部分が締結により当接されるように構成されている。中空筒状部は、少なくとも一部が当接部によって構成されると共に、チェーンカバーが締結される側に開口を備える中空部を有するように構成されている。ここで、本発明における「当接部」とは、典型的には、チェーンカバーをボルト締結するためのフランジ部がこれに該当する。
【０００９】
一般に、同じ材質であれば、中空部材と中実部材の断面二次モーメントおよび断面二次極モーメントはほぼ同じ値となり、中空部材を採用することにより剛性向上と軽量化との両立を図ることができる。本発明によれば、中空筒状部の少なくとも一部を当接部によって構成している、言い換えると、当接部の少なくとも一部を中空筒状部に連結する構成であるため、重量増加を招くことなく、チェーンカバーのうちエンジンマウントブラケット部あるいはエンジンマウントブラケット部の近傍における取付剛性を向上することができる。
【００１０】
しかも、可変バルブタイミング機構を作動させるためのオイル制御弁の有無に関わらず、エンジンマウントブラケット部あるいはエンジンマウントブラケット部の近傍における取付剛性を向上することができる。また、オイル制御弁を用いる場合であっても、当該オイル制御弁の配置が制限されることを抑制できるため、設計自由度を向上することができる。
【００１１】
本発明に係るシリンダヘッドの更なる形態によれば、当接部は、チェーンカバーのうちエンジンマウントブラケット部またはエンジンマウントブラケット部の近傍部分を締結するためのボルトがネジ係合されるネジ部を備えている。そして、当該ネジ部が中空筒状部を挟んで両側に配置されるように構成されている。
【００１２】
本形態によれば、剛性の高い中空筒状部を挟んで両側にネジ部が配置される構成であるため、チェーンカバーのうちエンジンマウントブラケット部あるいはエンジンマウントブラケット部の近傍における取付剛性をさらに向上することができる。
【００１３】
本発明に係るシリンダヘッドの更なる形態によれば、中空筒状部は、チェーンカバーが締結される側のみが開口するように構成されている。
【００１４】
本形態によれば、チェーンカバーのうちエンジンマウントブラケット部あるいはエンジンマウントブラケット部の近傍における取付剛性をより一層向上することができる。
【００１５】
本発明に係るシリンダヘッドの更なる形態によれば、中空筒状部の外形を構成する外殻の少なくとも一部が曲面により構成されている。
【００１６】
一般に、一方向からの入力に対してはリブなどを設ける対策が効果的であるが、エンジンマウントブラケット部に作用する入力の方向は一方向ではない。本形態によれば、エンジンマウントブラケット部からの入力を曲面により効率的に受けることができる。
【００１７】
本発明に係るシリンダヘッドの更なる形態によれば、中空部は、開口に垂直な方向から見たときの断面積が、開口から底部に向かうに伴い漸減するように構成されている。
【００１８】
本形態によれば、底部ほど断面積が小さくなるテーパー形状に中空部を構成するため、中子などを用いて中空部を成型する場合の製造性を向上することができる。
【００１９】
本発明に係るシリンダヘッドの更なる形態によれば、バルブリフタの往復運動をガイドするためのバルブリフタガイドボス部をさらに備えている。そして、中空筒状部は、バルブリフタガイドボス部に直接的に接続されるように構成されている。
【００２０】
本形態によれば、比較的剛性が高いバルブリフタガイドボス部に中空筒状部を直接的に接続する構成であるため、チェーンカバーのうちエンジンマウントブラケット部あるいはエンジンマウントブラケット部の近傍における取付剛性をさらに向上することができる。
【００２１】
本発明に係るシリンダヘッドの更なる形態によれば、外郭を構成する側壁をさらに備えている。そして、バルブリフタボス部は、側壁に直接的に接続されるように構成されている。
【００２２】
本形態によれば、バルブリフタボス部の剛性を向上することができる。これにより、チェーンカバーのうちエンジンマウントブラケット部あるいはエンジンマウントブラケット部の近傍における取付剛性をより一層向上することができる。
【００２３】
本発明に係るシリンダヘッドの更なる形態によれば、カムシャフトを回転可能に支承するように構成された支持壁および点火プラグを取り付けるためのプラグボス部をさらに備えている。そして、中空筒状部は、バルブリフタガイドボス部およびプラグボス部を介して支持壁に接続されるように構成されている。
【００２４】
本形態によれば、比較的剛性が高い支持壁に中空筒状部を接続する構成であるため、チェーンカバーのうちエンジンマウントブラケット部あるいはエンジンマウントブラケット部の近傍における取付剛性をさらに向上することができる。
【００２５】
本発明に係るシリンダヘッドの更なる形態によれば、外郭を構成する側壁をさらに備えている。そして、支持壁は、側壁に直接的に接続されるように構成されている。
【００２６】
本形態によれば、支持壁の剛性を向上することができる。これにより、チェーンカバーのうちエンジンマウントブラケット部あるいはエンジンマウントブラケット部の近傍における取付剛性をより一層向上することができる。
【００２７】
本発明に係るシリンダヘッドの更なる形態によれば、動弁室を構成するアッパーデッキ部をさらに備えている。そして、中空筒状部は、アッパーデッキ部に直接的に接続されるように構成されている。ここで、本発明における「動弁室」とは、カムシャフトやバルブリフタ、吸排気弁などから構成される動弁機構が収容される空間が該当する。
【００２８】
本形態によれば、比較的剛性が高いアッパーデッキに中空筒状部を直接的に接続する構成であるため、チェーンカバーのうちエンジンマウントブラケット部あるいはエンジンマウントブラケット部の近傍における取付剛性をさらに向上することができる。
【００２９】
本発明に係るシリンダヘッドの更なる形態によれば、吸気マニホールドを締結可能な取付部および当該取付部に直接的に接続されたリブをさらに備えている。そして、中空筒状部は、リブを介して取付部に接続されるように構成されている。
【００３０】
本形態によれば、比較的剛性が高い取付部にリブを介して中空筒状部を接続する構成であるため、チェーンカバーのうちエンジンマウントブラケット部あるいはエンジンマウントブラケット部の近傍における取付剛性をさらに向上することができる。
【００３１】
本発明に係る内燃機関の好ましい形態によれば、上述したいずれかの態様の本発明に係るシリンダヘッドと、チェーンカバーと、を備えている。チェーンカバーは、エンジンマウントブラケット部を有し、シリンダヘッドに締結されるように構成されている。そして、当該内燃機関は、エンジンマウントを介してエンジンマウントブラケット部が車体に締結されることにより車両に搭載されるように構成されている。
【００３２】
本発明によれば、上述したいずれかの態様の本発明に係るシリンダヘッドを備えるから、本発明のシリンダヘッドが奏する効果と同様の効果、例えば、チェーンカバーのうちエンジンマウントブラケット部あるいはエンジンマウントブラケット部の近傍における取付剛性を向上することができる効果などを奏することができる。これにより、内燃機関を車両に搭載する際の信頼性を向上することができる。
【発明の効果】
【００３３】
本発明によれば、エンジンマウントブラケット部の剛性向上に関して更に改良されたシリンダヘッドおよびこれを備える内燃機関を提供することができる。
【図面の簡単な説明】
【００３４】
【図１】本発明の実施の形態に係る内燃機関１の構成の概略を示す概略構成図である。
【図２】本発明の実施の形態に係るシリンダヘッド２０の正面図である。
【図３】本発明の実施の形態に係るシリンダヘッド２０の平面図である。
【図４】図３のＡ−Ａ断面を示す断面図である。
【図５】本発明の実施の形態に係るシリンダヘッド２０の側面図である。
【図６】図５のＢ−Ｂ断面の要部を拡大して示す要部拡大断面図である。
【図７】チェーンカバー１２の正面図である。
【図８】チェーンカバー１２を裏側から見た裏面図である。
【図９】チェーンカバー１２の側面図である。
【図１０】チェーンカバー１２を上方から見た平面図である。
【図１１】本発明の実施の形態に係る内燃機関１にエンジンマウント８０が取り付けられた状態を示す説明図である。
【発明を実施するための形態】
【００３５】
次に、本発明を実施するための最良の形態を実施例を用いて説明する。
【００３６】
本実施の形態に係るシリンダヘッド２０を搭載した内燃機関１は、４つの気筒が直列に配置された直列４気筒エンジンとして構成されており、図１に示すように、本実施の形態に係るシリンダヘッド２０と、当該シリンダヘッド２０の上部に取り付けられたロッカーカバー２と、シリンダヘッド２０の下部に取り付けられたシリンダブロック４と、シリンダブロック４の下部に取り付けられたアッパーオイルパン６と、アッパーオイルパン６の下部に取り付けられたロアオイルパン８と、吸気マニホールド１０と、チェーンカバー１２と、を備えている。本実施の形態では、便宜上、ロッカーカバー２側、即ち、図１中の紙面上方を、「上側」ないし「上方側」として規定し、ロアオイルパン８側、即ち、図１中紙面下方を、「下側」ないし「下方側」として規定する。
【００３７】
シリンダヘッド２０は、図２および図４に示すように、アッパーデッキ２２と、ロアデッキ２４と、アッパーデッキ２２およびロアデッキ２４に接続されると共にシリンダヘッド２０の外郭を形成する側壁２６，２８と、から構成されており、図３および図６に示すように、カムシャフト支持壁３０と、バルブリフタガイドボス部３２と、中空筒状部５０と、を備えている。カムシャフト支持壁３０は、本発明における「支持壁」に対応する実施構成の一例である。
【００３８】
シリンダヘッド２０の上部にロッカーカバー２が取り付けられることにより、アッパーデッキ２２よりも上方部分には、図示しない吸気および排気カムシャフトや吸気および排気バルブ、バルブリフタなどを収容配置するための動弁機構室ＶＭＣが構成される。
【００３９】
側壁２６は、図３および図５に示すように、気筒列方向（図３の左右方向）に沿うように構成されている。一方の側壁２６には、吸気マニホールド１０を取り付けるための取付部３４が形成されている。取付部３４は、図５に示すように、リブ３６によって一方の側壁２８に接続されている。
【００４０】
側壁２８は、図３に示すように、気筒列方向（図３の左右方向）に直交するように構成されている。一方の側壁２８には、図２に示すように、チェーンケース１２を締結するためのフランジ部４２およびボス部４４が形成されている。ボス部４４は、側壁２８の幅方向（図２の左右方向）のほぼ中央に上下方向に並んで二つ形成されている。
【００４１】
フランジ部４２およびボス部４４は、図６に示すように、側壁２８の壁面に対して突出して形成されている。フランジ部４２およびボス部４４の先端は、チェーンケース１２が当接する当接面として構成されている。フランジ部４２およびボス部４４には、チェーンケース１２を締結するための図示しないボルトがネジ係合されるネジ孔４２ａ，４２ｂ，４２ｃ，４４ａが形成されている。フランジ部４２およびボス部４４は、本発明における「当接部」に対応する実施構成の一例である。
【００４２】
なお、ネジ孔４２ｂ，４４ａには、チェーンケース１２のうち後述するエンジンマウントブラケット部１８を締結するためのボルト（図示せず）がネジ係合される。また、ネジ孔４２ｃは、チェーンケース１２のうち後述するエンジンマウントブラケット部１８近傍部分を締結するためのボルト（図示せず）がネジ係合される。ネジ孔４２ｂ，４２ｃ，４４ａは、本発明における「ネジ部」に対応する実施構成の一例である。
【００４３】
また、一方の側壁２８（フランジ部４２およびボス部４４が形成された側の側壁２８）の一方の側壁２６寄り（取付部３４が形成された側、図２の右側）には、図２に示すように、側壁２８の壁面から膨出するように構成された膨出部２９が形成されている。
【００４４】
膨出部２９は、図２に示すように、側壁２８の下方から上方に向かってクランク状に延在している。即ち、膨出部２９は、側壁２８の下方から上方に向かって延在し、上下方向のほぼ中央部において一端右側（側壁２６側、図２の右側）に折れ曲がった後、再び上方に向かって延在している。 膨出部２９の内部には、図４に示すように、膨出部２９の形状に沿ってオイル通路２９ａが形成されている。
【００４５】
カムシャフト支持壁３０は、図示しない吸気および排気カムシャフトを回転可能に支持できるように構成されている。カムシャフト支持壁３０は、図３に示すように、気筒列方向に垂直な方向（図３の上下方向）に延在しており、一端が一方の側壁２６に接続されると共に、他端が他方の側壁２６に接続されている。カムシャフト支持壁３０の延在方向の中央部には、図３に示すように、点火プラグ（図示せず）を取り付けるためのプラグボス部３８が形成されている。
【００４６】
バルブリフタガイドボス部３２は、図示しない吸気および排気カムシャフトの回転に伴い往復運動する図示しないバルブリフタをガイドすることができるように構成されている。バルブリフタガイドボス部３２は、図３および図６に示すように、一端において側壁２６に接続されると共に、他端においてプラグボス部３８に接続されている。
【００４７】
中空筒状部５０は、図６に示すように、一方の側壁２８（フランジ部４２やボス部４４が形成された側の側壁２８）の壁面に開口５２を有し、当該開口５２から他方の側壁２８（一方の側壁２８とは気筒列方向において反対側に配置された側壁２８、図３の右側の側壁２８）に向かって気筒列方向に沿う方向に凹み状に形成された凹部として構成されている。即ち、中空筒状部５０は、一方の側壁２８側のみが開口され、その他の部分において閉じられた空間５４を有する有底筒形状に構成されている。空間５４は、本発明における「中空部」に対応する実施構成の一例である。
【００４８】
中空筒状部５０は、図２、図４および図６に示すように、その一部、具体的には、空間５４を構成する右側壁部（図２の右側部分）および上側壁部（図２の上側部分）の一部が、二つのネジ孔４２ｂ，４２ｂの間に延在するフランジ部４２によって構成されている。言い換えると、フランジ部４２の少なくとも一部が中空筒状部５０に連結され、中空筒状部５０を挟んで上下方向両側にネジ孔４２ｂ，４２ｂが配置されているとも言える。
【００４９】
また、中空筒状部５０のうち空間５４を構成する左側壁部（図２に左側部分）は、図２および図６に示すように、膨出部２９を含むように構成され、中空筒状部５０のうち空間５４を構成する下側壁部（図４の下側部分）は、図４に示すように、アッパーデッキ２２に接続されるように構成されている。
【００５０】
さらに、中空筒状部５０のうち空間５４を構成する下側壁部（図４の下側部分）は、図４に示すように、リブ３６の一部を含むように構成されている。即ち、中空筒状部５０は、図５に示すように、リブ３６を介して取付部３４に接続されている。上側壁部、下側壁部、右側壁部および左側壁部は、本発明における「外殻」に対応する実施構成の一例である。
【００５１】
また、中空筒状部５０は、図６に示すように、バルブリフタガイドボス部３２にも接続されている。なお、中空筒状部５０は、バルブリフタガイドボス部３２が接続されたプラグボス部３８を介して間接的にカムシャフト支持壁３０にも接続されている。
【００５２】
中空筒状部５０の外形を構成する外殻は、図４および図６に示すように、曲面を有する形状に構成されている。また、当該外殻は、図６に示すように、一方の側壁２８側から他方の側壁２８側に向かうに伴って先細りする略コーン形状に形成されている。
【００５３】
空間５４は、中空筒状部５０の外形を構成する外殻の形状に対応した形状に構成されている。即ち、空間５４は、図４に示すように、開口５２に直交する方向から見たときに曲線を有する形状に構成されると共に、図６に示すように、底部（開口５２とは反対側の部分）に向かうほど、開口５２に直交する方向から見たときの断面の面積が漸減する略コーン形状に構成されている。
【００５４】
空間５４を略コーン形状に構成する態様は、本発明における「中空筒状部の中空部は、開口に垂直な方向から見たときの断面積が、開口から底部に向かうに伴い漸減するよう構成されている」態様に対応する実施構成の一例である。
【００５５】
チェーンカバー１２は、図１に示すように、内燃機関１の気筒列方向の一端側（図１の左側）において、シリンダヘッド２０、シリンダブロック４およびアッパーオイルパン６に図示しないボルトによって締結される。
【００５６】
チェーンカバー１２は、図７および図８に示すように、フランジ部１４と、ボス部１６と、エンジンマウントブラケット部１８と、インジケータピン１９と、を備えている。フランジ部１４は、チェーンカバー１２の上端（図７および図８の上側端部）を除く外縁部に設けられている。
【００５７】
フランジ部１４には、図７および図８に示すように、チェーンケース１２を締結するための図示しないボルトが挿通される挿通孔１４ａ，１４ｂ，１４ｃが複数形成されている。挿通孔１４ｂは、チェーンケース１２のうちエンジンマウントブラケット部１８自体に形成されている。挿通孔１４ｂは、チェーンケース１２をシリンダヘッド２０に締結する際に、フランジ部４２のネジ孔４２ｂに整合する。
【００５８】
また、挿通孔１４ｃは、図７および図８に示すように、チェーンケース１２のうちエンジンマウントブラケット部１８の近傍部分（挿通孔１４ｂに隣接した位置）に形成されている。挿通孔１４ｃは、チェーンケース１２をシリンダヘッド２０に締結する際に、フランジ部４２のネジ孔４２ｃに整合する。
【００５９】
ボス部１６は、チェーンカバー１２上部の幅方向（図７および図８の左右方向）のほぼ中央、即ち、エンジンマウントブラケット部１８のほぼ中央部において、上下方向に並んで二つ設けられている。ボス部１６には、エンジンマウントブラケット部１８をシリンダヘッド２０に締結するための図示しないボルトが挿通される挿通孔１６ａが形成されている。挿通孔１６ａは、チェーンケース１２をシリンダヘッド２０に締結する際に、ボス部４４のネジ孔４４ａに整合する。
【００６０】
ボス部１６には、図８に示すように、複数のリブ６０，６２，６４が接続されている。リブ６０は、交差状に二本設けられており、ボス部１６とフランジ部１４とを接続するように構成されている。リブ６２は、ボス部１６同士を接続するように構成されている。リブ６４は、ボス部１６とチェーンカバー１２の壁面とを接続するように構成されている。
【００６１】
エンジンマウントブラケット部１８は、図７、図９および図１０に示すように、チェーンカバー１２上部（図７の上側）においてチェーンカバー１２に一体に設けられている。エンジンマウントブラケット部１８は、チェーンカバー１２の幅方向（図７の左右方向）のほぼ全域に亘って延在している。
【００６２】
エンジンマウントブラケット部１８は、図７、図９および図１０に示すように、エンジンマウント８０（図１１参照）を取り付けるための取付座面１８ａを有している。取付座面１８ａは、エンジンマウントブラケット部１８の上端面（図９の上側）に形成されている。取付座面１８ａには、エンジンマウント８０（図１１参照）を締結するためのボルトＢＬＴ（図１１参照）がネジ係合されるネジ孔１８ｂが形成されている。  
【００６３】
こうして構成された本実施の形態に係る内燃機関１は、図１１に示すように、チェーンカバー１２のエンジンマウントブラケット部１８にボルト締結されたエンジンマウント８０を介して図示しない車体に取り付けられることにより車両（図示せず）に搭載される。
【００６４】
車両に搭載された内燃機関１には、車両の走行により生ずる振動（タイヤからの入力によるハーシュネス等）がエンジンマウント８０を介して入力される。当該振動の入力によって、シリンダヘッド２０のフランジ部４２のうちチェーンカバー１２のエンジンマウントブラケット部１８が締結される部位には、曲げおよび捩じり方向の力が作用する。
【００６５】
しかしながら、本実施の形態に係るシリンダヘッド２０では、シリンダヘッド２０のフランジ部４２のうちチェーンカバー１２のエンジンマウントブラケット部１８が締結される部位の少なくとも一部を、中空筒状部５０に連結することにより、重量増加を抑制しながらも当該部位に作用する曲げおよび捩じり方向の力に対する剛性の向上が図られている。
【００６６】
しかも、中空筒状部５０は、膨出部２９やリブ３６に直接繋がるように構成されると共に、アッパーデッキ２２やバルブリフタガイドボス部３２（間接的にカムシャフト支持壁３０）に接続されるように構成されているため、上述した部位に作用する曲げおよび捩じり方向の力に対する剛性をより一層向上することができる。
【００６７】
なお、中空筒状部５０を挟んで上下方向両側においてエンジンマウントブラケット部１８を締結する構成であるため、エンジンマウントブラケット部１８をより安定して締結することができると共に、取付剛性をより一層向上することができる。
【００６８】
また、このようにエンジンマウント８０の内燃機関１側の取付剛性が向上することにより、エンジンマウントブラケット部１８を含むエンジンマウントブラケット全体の共振周波数が増加し、こもり音や加速時の騒音を低減することができる。
【００６９】
本実施形態では、中空筒状部５０の外形を構成する外殻を、曲面を有する形状に構成したが、これに限らない。例えば、中空筒状部５０の外形を構成する外殻を曲面のみ、あるいは、平面のみにより構成しても良い。
【００７０】
本実施形態では、中空筒状部５０の外形を構成する外殻を、一方の側壁２８側から他方の側壁２８側に向かうに伴って先細りする略コーン形状に形成する構成としたが、先細りにせず、直方体状等の箱型形状としても良い。
【００７１】
本実施形態では、中空筒状部５０の外形を構成する外殻の形状に対応した形状に空間５４を構成したが、中空筒状部５０の外形を構成する外殻の形状とは異なる形状に構成しても良い。
【００７２】
本実施形態では、空間５４を、底部（開口５２とは反対側の部分）に向かうほど開口５２に直交する方向から見たときの断面の面積が漸減する略コーン形状に構成したが、これに限らない。例えば、開口５２から底部（開口５２とは反対側の部分）まで、開口５２に直交する方向から見たときの断面積が同じとなるように開口５２を構成しても良い。
【００７３】
本実施形態では、中空筒状部５０は、一方の側壁２８側のみが開口され、その他の部分において閉じられた空間５４を有する有底筒形状に構成したが、開口５２とは反対側の底部においても開口を有する構成としても構わない。
【００７４】
本実施の形態では、フランジ部４２のうちシリンダヘッド２０の幅方向右側（図２の右側）のフランジ部４２のエンジンマウントブラケット部１８が締結される部位近傍に中空筒状部５０を設け、当該中空筒状部５０に当該フランジ部４２が連結される構成としたが、フランジ部４２のうちシリンダヘッド２０の幅方向左側（図２の左側）のフランジ部４２のエンジンマウントブラケット部１８が締結される部位近傍に中空筒状部５０を設け、当該中空筒状部５０に当該フランジ部４２が連結される構成や、ボス部４４近傍に中空筒状部５０を設け、当該中空筒状部５０に当該ボス部４４が連結される構成としても良い。
【００７５】
本実施の形態では、チェーンケース１２のうちエンジンマウントブラケット部１８が締結されるネジ孔４２ｂ近傍のフランジ部４２に中空筒状部５０を連結する構成としたが、これに限らない。例えば、チェーンケース１２のうちエンジンマウントブラケット部１８の近傍部分が締結されるネジ孔４２ｃ近傍のフランジ部４２に中空筒状部５０を連結する構成としても良い。この場合、中空筒状部５０は、ネジ孔４２ｂとネジ孔４２ｃとの間のフランジ部４２に連結される構成が望ましい。
【００７６】
本実施の形態では、中空筒状部５０をアッパーデッキ２２やバルブリフタガイドボス部３２、取付部３４に接続する構成としたが、これに限らない。例えば、中空筒状部５０をアッパーデッキ２２、バルブリフタガイドボス部３２および取付部３４のいずれか一つあるいはいずれか二つに接続する構成や、いずれにも接続しない構成としても良い。あるいは、その他の剛性の高い部位に接続する構成としても良い。
【００７７】
本実施の形態では、中空筒状部５０をバルブリフタガイドボス部３２が接続されたプラグボス部３８を介して間接的にカムシャフト支持壁３０に接続する構成としたが、中空筒状部５０をカムシャフト支持壁３０に直接的に接続する構成としても良い。
【００７８】
本実施の形態では、中空筒状部５０を膨出部２９やリブ３６に直接繋げるように構成したが、これに限らない。例えば、中空筒状部５０を膨出部２９のみに直接繋げるように構成したり、リブ３６のみに直接繋げるように構成したりしても良い。あるいは、その他の剛性の高い部位に直接繋げるように構成しても良い。
【００７９】
本実施の形態では、中空筒状部５０を挟んで上下方向両側においてエンジンマウントブラケット部１８を締結するためのネジ孔４２ｂを設ける構成としたが、これに限らない。例えば、中空筒状部５０の上方向にのみネジ孔４２ｂを設ける構成や、中空筒状部５０の下方向にネジ孔４２ｂを設ける構成としても良い。
【００８０】
本実施の形態では、カムシャフト支持壁３０を側壁２６に接続する構成としたが、カムシャフト支持壁３０は、側壁２６に接続されていなくても良い。
【００８１】
本実施の形態では、バルブリフタガイドボス部３２を側壁２６に接続する構成としたが、バルブリフタガイドボス部３２は、側壁２６に接続されていなくても良い。
【００８２】
本実施形態は、本発明を実施するための形態の一例を示すものである。したがって、本発明は、本実施形態の構成に限定されるものではない。
【符号の説明】
【００８３】
１      内燃機関（内燃機関）
２      ロッカーカバー
４      シリンダブロック
６      アッパーオイルパン
８      ロアオイルパン
１０    吸気マニホールド
１２    チェーンカバー
１３    クランクプーリー
１４    フランジ部
１４ａ  挿通孔
１４ｂ  挿通孔
１６    ボス部
１６ａ  挿通孔
１８    エンジンマウントブラケット部
１８ａ  取付座面
１８ｂ  ネジ孔
１９    インジケータピン
２０    シリンダヘッド（シリンダヘッド）
２２    アッパーデッキ（アッパーデッキ）
２４    ロアデッキ
２６    側壁（側壁）
２８    側壁
２９    膨出部
２９ａ  オイル通路
３０    カムシャフト支持壁（支持壁）
３２    バルブリフタガイドボス部（バルブリフタガイドボス部）
３４    取付部
３６    リブ
３８    プラグボス部
４２    フランジ部（当接部）
４２ａ  ネジ孔
４２ｂ  ネジ孔（ネジ部）
４４    ボス部（当接部）
４４ａ  ネジ孔（ネジ部）
５０    中空筒状部（中空筒状部）
５２    開口（開口）
５４    空間（中空部）
６０    リブ
６２    リブ
６４    リブ
８０    エンジンマウント
ＶＭＣ  動弁機構室
ＢＬＴ  ボルト
【図１】
2017057720.tif 000003
【図２】
2017057720.tif 000004
【図３】
2017057720.tif 000005
【図４】
2017057720.tif 000006
【図５】
2017057720.tif 000007
【図６】
2017057720.tif 000008
【図７】
2017057720.tif 000009
【図８】
2017057720.tif 000010
【図９】
2017057720.tif 000011
【図１０】
2017057720.tif 000012
【図１１】
2017057720.tif 000013